(57)【要約】      （修正有）【課題】ハウジング内に孔版原紙が残留する事を簡易な構造で防止できる様にした孔版印刷機の排版装置を提供する。【解決手段】孔版印刷機内に引き出し可能に収納され上面が開放した排版容器４３と、印刷用版胴に巻かれて印刷に使用された後の孔版原紙Ｎを挟持して前記排版容器４３内に引き込む上下一対の引き込みローラ４２と、を備えている孔版印刷機の排版装置である。前記排版容器４３の前記引き込みローラ４２側の端部に、前記引き込みローラ４２を通過直後の孔版原紙に下方から係合可能な上向きの掻き出し爪６４を形成し、前記排版容器４３の上面開放部に、前記排版容器４３の幅方向に延びて排版容器４３内の孔版原紙Ｎの一部を上方から抑制可能な帯板状あるいは棒状の押さえ部材６６を配置する。前記押さえ部材は、前記排版容器に上下方向揺動自在に支持されたアーム６７に連結され、アームの揺動により昇降するように構成されている。【選択図】図２
0003157994.tif 000002
【実用新案登録請求の範囲】
【請求項１】
孔版印刷機内に引き出し可能に収納され上面が開放した排版容器と、印刷用版胴に巻かれて印刷に使用された後の孔版原紙を挟持して前記排版容器内に引き込む上下一対の引き込みローラと、を備えている孔版印刷機の排版装置において、
前記排版容器の前記引き込みローラ側の端部に、前記引き込みローラを通過直後の孔版原紙に下方から係合可能な上向きの掻き出し爪を形成し、
前記排版容器の上面開放部に、前記排版容器の幅方向に延びて排版容器内の孔版原紙の一部を上方から抑制可能な帯板状あるいは棒状の押さえ部材を配置し、
前記押さえ部材は、前記排版容器に上下方向揺動自在に支持されたアームに連結され、アームの揺動により昇降するように構成されている、孔版印刷機の排版装置。
【請求項２】
前記押さえ部材と前記アームとは、同一部材により一体物として形成されている、請求項１に記載の孔版印刷機の排版装置。
【請求項３】
前記押さえ部材は、自重により下降可能となっており、排版容器に形成されたストッパー部により、所定位置に係止されている、請求項１又は２に記載の孔版印刷機の排版装置。
【請求項４】
前記押さえ部材には、排版容器の幅方向に間隔をおいて、複数の下向き突起が形成されている、請求項１乃至３のいずれか一つに記載の孔版印刷機の排版装置。
【請求項５】
前記アームは、前記排版容器の両側壁に配置されている、請求項１乃至４のいずれか一つに記載の孔版印刷機の排版装置。
【請求項６】
前記押押さえ部材は、排版容器の前記引き込みローラ側寄りの位置に配置されている、請求項１乃至５のいずれか一つに記載の孔版印刷機の排版装置。
【請求項７】
前記排版容器を前記孔版印刷機から引き出す動作により、前記排版容器の掻き出し爪側の端部を上昇させる上昇機構を備えている、請求項１乃至６のいずれか一つに記載の孔版印刷機の排版装置。
【考案の詳細な説明】
【技術分野】
【０００１】
本考案は、孔版印刷機内に引き出し可能に収納され上面が開放した排版容器と、印刷用版胴に巻かれて印刷に使用された後の孔版原紙を挟持して前記排版容器内に引き込む上下一対の引き込みローラと、を備えている孔版印刷機の排版装置に関する。
【背景技術】
【０００２】
孔版印刷機は、一般に、製版装置と、インク供給機構を有する印刷用版胴と、排版装置を備えており、製版装置で製版された孔版原紙を印刷用版胴の外周面に装着し、印刷用版胴を回転させることにより、印刷用紙の孔版原紙の画像を印刷用紙に転写するようになっている。
【０００３】
そして、所定枚数の印刷を終了し、別の画像を印刷する場合には、印刷用版胴の表面の使用済みの孔版原紙を、前記一対の引き込みローラの回転により、排版容器内に排出し、次の新しい孔版原紙を印刷用版胴に装着する。
【０００４】
上記排版容器内には、使用済みの孔版原紙が次々に押し込められ、略満杯状態になった時点で、排版容器を孔版印刷機のハウジング内から引き出し、排版容器内に貯まっている孔版原紙をごみ箱等に破棄し、そして、空の排版容器を再度ハウジング内に装着する。
【０００５】
ところが、排版容器内に貯まる孔版原紙の数量が増えてくると、最後に引き込まれた孔版原紙が引き込みローラから排版容器内に完全に放出されず、孔版原紙の末端部が引き込みローラ間に挟持された状態で残ったり、あるいは、孔版原紙の末端部がインクにより引き込みローラに付着した状態で残ることがある。また、排版容器内の排版容器内に貯まる孔版原紙の数量が増えてくると、孔版原紙が排版容器から上方にはみ出し、排版容器を引き出す際に、孔版原紙がハウジングに引っ掛かってハウジング内に残留したり、排版容器を引き出す際にはみ出した孔版原紙が排版容器とハウジングとの間に詰まって、排出作業が困難になることがある。
【０００６】
孔版原紙がハウジング内に残留すると、孔版原紙に付着しているインクにより孔版印刷機内部が汚れるのは勿論のこと、残留している孔版原紙を取り出す作業にも手間がかかる。また、取り出す際に、インクにより手が汚れることになる。
【０００７】
このような孔版原紙のハウジング内の残留を無くすために、従来、排版容器の満杯時にハウジングの内奥側に位置する孔版原紙をクランプするクランプ装置を設けた排版装置がある（特許文献１）。また、排版容器内の孔版原紙が上方にはみ出すのを防止するために、排版容器の上面の全面を開閉可能に覆うカバーを設けた排版装置もある（特許文献２）。
【特許文献１】特開２００５−７４８１０号公報。
【特許文献２】特開昭６１−１８５４７１号公報。
【考案の概要】
【考案が解決しようとする課題】
【０００８】
前者の従来技術では、クランプ装置用に、上下に対向する二つのクランプアームを設けなければならず、部品点数が多くなる。また、排版容器内に貯まっていた孔版原紙をごみ箱等に廃棄する際には、上側のクランプアームを取り外さなければならず、廃棄作業に手間がかかる。
【０００９】
後者の従来技術では、孔版原紙の上方への膨らみをカバーによって抑制できるが、排版容器の上面全体を覆うカバーを取り付けているので、材料コストが高くなると共に排版容器の重量も増加し、また、排版容器内に貯まっている孔版原紙はカバーに付着し易く、付着した孔版原紙は手で取り除く必要があり、カバーに付着したインクを清掃するにも手間がかかる。
【００１０】
［考案の目的］
本考案の目的は、部品点数が少なく、簡単な構造の排版装置であって、排版容器内に貯まった孔版原紙を廃棄処理する際に、孔版原紙のハウジング内の残留を確実に阻止できると共に、排版装置のハウジングなどを汚すことなく、簡単に排版容器から総ての孔版原紙を破棄することもできる排版装置を提供することである。
【課題を解決するための手段】
【００１１】
上記課題を解決するため、本考案は、孔版印刷機内に引き出し可能に収納され上面が開放した排版容器と、印刷用版胴に巻かれて印刷に使用された後の孔版原紙を挟持して前記排版容器内に引き込む上下一対の引き込みローラと、を備えている孔版印刷機の排版装置において、前記排版容器の前記引き込みローラ側の端部に、前記引き込みローラを通過直後の孔版原紙に下方から係合可能な上向きの掻き出し爪を形成し、前記排版容器の上面開放部に、前記排版容器の幅方向に延びて排版容器内の孔版原紙の一部を上方から抑制可能な帯板状あるいは棒状の押さえ部材を配置し、前記押さえ部材は、前記排版容器に上下方向揺動自在に支持されたアームに連結され、アームの揺動により昇降するように構成されている。
【００１２】
また、本考案は、上記構成に加え、次の構成を備えることもできる。
（ａ）前記押さえ部材と前記アームとは、同一部材により一体物として形成されている。
【００１３】
（ｂ）前記押さえ部材は、自重により下降可能となっており、排版容器に形成されたストッパー部により、所定位置に係止されている。
【００１４】
（ｃ）前記押さえ部材には、排版容器の幅方向に間隔をおいて、複数の下向き突起が形成されている。
【００１５】
（ｄ）前記アームは、前記排版容器の両側壁に配置されている。
【００１６】
（ｅ）前記押さえ部材は、排版容器の前記引き込みローラ側寄りの位置に配置されている。
【００１７】
（ｆ）前記排版容器を前記孔版印刷機から引き出す動作により、前記排版容器の掻き出し爪側の端部を上昇させる上昇機構を備えている。
【考案の効果】
【００１８】
本考案によると、排版容器内に排出された最後の孔版原紙の末端部が引き込みローラに挟持された状態であったり、または、インクにより引き込みローラに付着した状態であったりしても、排版容器を孔版印刷機のハウジング内から引き出す際には、掻き出し爪により引き込みローラから引き剥がすことができ、かつ、排版容器内に貯まる孔版原紙が上方にはみ出すのを、押さえ部材により確実に抑制でき、ハウジング内の孔版原紙の残留を阻止することができる。
【００１９】
構成（ａ）のように、押さえ部材とアームとを一体に形成していると、製造が容易で、部品点数を減らすことができる。
【００２０】
構成（ｂ）のようには、押さえ部材を自重により下降可能としていると、特別の付勢手段を設けることなく、一定の圧力で孔版原紙の一部を押さえられるのは勿論のこと、排版容器を逆さにしてごみ箱に捨てる際に、押さえ部材は自重により自然に開くので、全部の孔版原紙を、残すことなく簡単に捨てることができる。
【００２１】
構成（ｃ）のように、押さえ部材に、排版容器の幅方向に間隔をおいて、複数の下向き突起を形成していると、排版容器を引き出す際に、突起が孔版原紙に食い込むことにより、孔版原紙が排版容器外に抜け出すのを阻止できる。
【００２２】
構成（ｄ）のように、アームを排版容器の両側壁に設けていると、押さえ部材を安定した状態で昇降自在に支持できる。
【００２３】
構成（ｅ）のように、前記押さえ部材を、排版容器の前記引き込みローラ側寄りの位置に配置していると、排版容器内に引き出した直後に掻き出し爪により排版容器の上方に逃げ易い様態となった孔版原紙を、確実の排版容器内に閉じ込めることができる。
【００２４】
構成（ｆ）のように、排版容器を前記孔版印刷機から引き出す動作により、前記排版容器の掻き出し爪側の端部を上昇させる上昇機構を備えていると、引き出し時に、掻き出し爪が、強く孔版原紙の食い込み、最後の孔版原紙を確実に引き出しローラから剥がすことができる。
【図面の簡単な説明】
【００２５】
【図１】本考案に係る排版装置を備えた孔版印刷機の縦断側面略図である。
【図２】図１の排版装置の拡大縦断側面図である。
【図３】図１の排版装置の排版容器を前斜め上方から見た斜視図である。
【図４】排版容器の引き出し途中の状態を示す図３と同様の拡大縦断側面図である。
【考案を実施するための形態】
【００２６】
（孔版印刷機の全体の概要）
図１〜図４は本考案に係る排版装置を備えた孔版印刷機であり、これらの図面に基づいて、本考案の一実施形態を説明する。図１は孔版印刷機全体の縦断側面図を示しており、説明の都合上、印刷用紙Ｐの搬送方向Ｍの上流側を「前側」、搬送方向Ｍの下流側を「後側）として、以下、説明する。
【００２７】
図１において、印刷機本体１の前下部に給紙装置２が配置され、印刷機本体１の後下部に排紙装置３が配置され、給紙装置２と排紙装置３との前後方向間に印刷ユニット４が配置され、印刷機本体１の前上部に製版装置５が配置され、印刷機本体１の後上部に排版装置７が配置されている。また、印刷機本体１の上側には画像読取装置９が配置されている。
【００２８】
印刷ユニット４は、製版済みの孔版原紙Ｎが外周面に装着される円筒状の印刷用版胴１１と、該印刷用版胴１１に下方から当接離反自在に対向する押圧ローラ１２とを備えており、印刷用版胴１１内には、インクローラ１１ａを有するインク供給機構が内蔵されている。すなわち、回転する印刷用版胴１１と押圧ローラ１２の間で印刷用紙Ｐを挟持し、搬送方向Ｍに搬送しつつ、印刷用版胴１１内から供給されるインクにより、孔版原紙Ｎの画像を印刷用紙Ｐの上面に転写（印刷）する。
【００２９】
給紙装置２は、給紙台２１と、該給紙台２１の後端部に配置された給紙ローラ２２及び捌き部材２３と、給紙ローラ２２の後方に配置された一対のタイミングローラ２４と、を備えている。すなわち、給紙台２１に積載された印刷用紙Ｐを、給紙ローラ２２及び捌き部材２３により最上位から一枚ずつ取り出し、印刷用紙Ｐの所定位置に印刷できるように、タイミングローラ２４は、印刷用版胴１１の回転と同期して適宜タイミングで作動し、印刷ユニット４の印刷部Ａへ印刷用紙Ｐを送り込む。
【００３０】
排紙装置３は、エア吸引式の搬送ベルト機構３１と紙受け台３２とを備えており、印刷ユニット４で印刷された印刷用紙Ｐを、搬送ベルト機構３１によりエア吸引しつつ後方に搬送し、紙受台３２上へ排出する。
【００３１】
製版装置５は、孔版原紙ロール３５と、サーマルヘッド３７と、該サーマルヘッド３７に当接するプラテンローラ３６とを備えており、画像読取装置９で読み取られた画像のデータに基づき、孔版原紙ロール３５をサーマルヘッド３７で製版し、製版後の孔版原紙Ｎを印刷ユニット４の印刷用版胴１１の外周面に装着する。
【００３２】
（排版装置の構成）
排版装置７は、印刷機本体１内に取り付けられた排版用のハウジング４１と、該ハウジング４１の前上端部に取り付けられた上下一対の引き込みローラ４２と、前記ハウジング４１内に、後方からスライド自在に挿入された上面開放状の排版容器４３と、を備えている。
【００３３】
前記引き込みローラ４２は、印刷用版胴１１の後上端部に対応する位置に位置しており、印刷用版胴１１の外周面に装着されている印刷使用後の孔版原紙Ｎの先端部を挟持し、回転することによりハウジング４１の排版容器４３内に引き込むように構成されている。
【００３４】
図２は排版容器４３が収納された状態の排版装置７の拡大縦断側面図であり、この図２において、ハウジング４１は、左右方向に間隔をおいて配置された一対の側板５０と、両側板５０の下端部間を結合する底板５１と、両側板５０の上端部間を結合する天井板５２と、から略直方体状に構成されており、前面と後面とは開口している。底板５１の上に、排版容器４３をスライド自在に支持している。
【００３５】
上側の引き込みローラ４２は、ベルト伝動機構（図示せず）を介して駆動モータ（図示せず）に連結されており、矢印Ｒ１方向に回転する。下側の引き込みローラ４２は、図示しないばねにより上側の引き込みローラ４２に圧接しており、これにより、上側の引き込みローラ４２の矢印Ｒ１方向への回転に伴い、矢印Ｒ２方向に従動回転するようになっている。すなわち、上下の引き込みローラ４２，４２で使用済みの孔版原紙Ｎを挟持し、それぞれＲ１，Ｒ２方向に回転することにより、孔版原紙Ｎをハウジング４１内に引き込むようになっている。
【００３６】
図３は排版容器４３を前斜め上方から見た斜視図であり、この図３において、排版容器４３は、左右方向に間隔をおいて配置された一対の側壁６０と、両側壁６０の下端部間を結合する底壁６１と、両側壁６０の前端部間を結合する前壁６２と、両側壁６０の後端部間を結合する後壁６３とから角箱形状に構成され、上面全体が開放（開口）している。側壁６０と、底壁６１と、前壁６２と、後壁６３は、樹脂部材により一体成形されている。前壁６２は、前記引き込みローラ配置用のスペースを確保するために、後壁６３よりも低く形成されている。排版容器４３の上方は、図２のように収納状態において、ハウジング４１の天井板５２に一定の間隔をおいて覆われている。また、排版容器４３の後壁６３には、後方に突出する取手７５が一体に形成されている。
【００３７】
（孔版原紙の残留阻止のための掻き出し機構）
図２において、孔版原紙Ｎが引き込みローラ４２，４２に残留するのを阻止するために、排版容器４３の前壁６２の上端部に、前上方突出する複数の掻き出し爪６４が前壁６２と一体に形成されている。
【００３８】
各掻き出し爪６４は、それらの先端が両引き込みローラ４２のニップ部４２ｂのやや下側に向かうように延びており、これにより、引き込みローラ４２のニップ部４２ｂから後方に送られる孔版原紙Ｎは、各掻き出し爪６４の上方を通り、排版容器４３内に排出される。
【００３９】
図３において、掻き出し爪６４は、左右幅の略中央位置に一本配置され、該中央位置から左右に略均等に間隔をおいた左右位置に２本ずつ配置されている。さらに、前壁６２の左右両端の近傍には、前記掻き出し爪６４よりも短い補助の爪６４ａが形成されている。
【００４０】
（孔版原紙を上方から抑制する機構）
図３において、排版容器４３に貯められる孔版原紙Ｎを上方から押さえ、抑制する機構として、排版容器４３の左右方向の全幅に亘って細長く延びる金属製の押さえ部材６６と、該押さえ部材６６と同一材により一体に形成された左右一対のアーム６７とを備えている。各アーム６７の前端部は押さえ部材６６の左右両端部にそれぞれ一体に結合されており、各アーム６７は押さえ部材６６の左右端部から後下方に向かって延び、各アーム６７の後端部は、揺動軸（ボルト）６８により、排版容器４２の側壁６０に上下方向揺動自在に支持されている。両側壁６０には、上端が開口した縦長の軸支持孔６９が形成され、この軸支持孔６９に前記各揺動軸６８が上方から挿入されている。押さえ部材６６には、左右方向に間隔をおいて四角状の複数の突起６６ａが下向きに形成されている。
【００４１】
また、両側壁６０の前半部には、上下方向に延びる複数（３本）のリブ７３が形成され、これらのリブ７３は前記押さえ部材６６のストッパー部としての役目を果たしており、押さえ部材６６が自重で下降して各リブ７３の上端に前記各アーム６７が係止されることにより、押さえ部材６６は図２及び図３に示す位置、すなわち、掻き出し爪６４の後上方位置であって、上側引き込みローラ４２の後方近傍位置に維持されている。
【００４２】
（排版容器４３の上昇ガイド機構）
図２において、排版容器４３及びハウジング４１には、前記掻き出し爪６４による原紙掻き出し作用が効果的に行えるように、排版容器４３の引き出し動作時にこの排版容器４３の前端部（すなわち掻き出し爪６４）を上昇させる上昇ガイド機構が備えられている。すなわち上昇ガイド機構として、排版容器４３の底壁６１の前端部の下面には下向きのガイド突起６５が形成され、一方、ハウジング４１の底板５１の前端部には、収納状態における排版容器４３のガイド突起６５が嵌合するガイド孔７０が形成されている。前記ガイド突起６５は後傾状（後倒れ状）の後端縁６５ａを有しており、ガイド孔７０の後端縁には、前記ガイド突起６５の後傾状の後端縁６５ａに対応するように傾斜したガイド片７０ａが折り曲げ形成されている。さらに、ハウジング４１の底板５１の後端部には、水平に対して後下がりに傾斜する傾斜部７１が形成されており、図４のように排版容器４３の前端部が上昇した時に、排版容器４３の後端部の下面が下方に傾きうるようになっている。
【００４３】
（作用）          
孔版印刷機による印刷方法は、各装置説明部分で既に説明しており、また、周知の内容であるので、ここでは省略し、孔版原紙Ｎの製版、排版及び廃棄の手順について説明する。
【００４４】
図１において、製版装置５では、画像読取装置９で読み取った原画像のデータに基づき、あるいは他の装置で読み取ったデータに基づき、孔版原紙ロール３５をサーマルヘッド３６で加熱穿孔することにより、孔版原紙Ｎを製版し、印刷ユニット１１の外周面に孔版原紙Ｎを装着する。
【００４５】
印刷用版胴１１に装着された上記孔版原紙Ｎの画像を所定枚数の印刷用紙Ｐに印刷した後、次の画像を印刷するために新たな孔版原紙Ｎと交換する。交換する際には、まず、印刷用版胴１１を所定の排版回転角度で停止させ、使用済みの孔版原紙Ｎの始端部を印刷用版胴１１から剥がし、適宜のガイド装置により排版装置７の引き込みローラ４２まで導き、そして、印刷用版胴１１と引き込みローラ４２とを同時に回転させ、使用済みの孔版原紙Ｎを排版用ハウジング４１の排版容器４３内に取り込んでゆく。
【００４６】
上記排版作業後は、製版装置５で製版された新たな孔版原紙Ｎを印刷用版胴１１に装着し、次の画像を印刷し、所定枚数の印刷用紙Ｐの印刷が終了した後、前記同様に、引き込みローラ４２により、使用済みの孔版原紙Ｎを排版容器４３内に取り込んでゆく。
【００４７】
排版容器４３内に使用済みの孔版原紙Ｎが次々と貯められ、排版容器４３が略満杯になると、取手７５を持って排版容器４３をハウジング４１内から後方に引き出し、排版容器４３内の使用済み孔版原紙Ｎを、ごみ箱等に廃棄する。
【００４８】
図２は排版容器４３をハウジング４１から引き出す前の状態であって、使用済み孔版原紙Ｎを排版容器４３内に取り込んでいる状態を示し、図４は満杯状態の排版容器４３を引き出し始めた状態を示している。図２に示すように、引き込みローラ４２で引き込まれる孔版原紙Ｎは、掻き出し爪６４の上方を通過し、続いて押さえ部材６６の下方を通過して排版容器４３内に収納される。このとき、孔版原紙Ｎが上方に膨らむように通過する場合には、押さえ部材６６により下方に抑制され、排版容器４３からはみ出すことなく排版容器４３内に収納される。
【００４９】
孔版原紙Ｎが次々と貯められて排版容器４３内が満杯になって、排版容器４３から孔版原紙Ｎを破棄する場合、まず、図２の状態から排版容器４３を後方に引き出す。排版容器４３の底壁６１はハウジング４１の底板５１上を後方にスライドし始めるが、図４のように、ガイド突起６５の後端縁６５ａがガイド片７０ａに当接して上方に押し上げられ、これにより排版容器４３の前端部及び掻き出し爪６４は上昇する。この時、ガイド突起６５の後端縁６５ａとガイド片７０ａとは、いずれも後傾姿勢に形成されているので、ガイド突起６５及び排版容器４３の前端部は滑らかに上昇する。
【００５０】
最後の孔版原紙Ｎの末端部が仮に引き込みローラ４２のニップ部４２ｂに挟持された状態であっても、掻き出し爪６４が上昇することにより、掻き出し爪６４は引き込みローラ４２の直後に位置する最後の孔版原紙Ｎの末端部を引っ掛け、孔版原紙Ｎの末端部を後方へ引っ張り、引き込みローラ４２から後方に剥がす。
【００５１】
しかも、掻き出し爪６４の後方位置において、押さえ部材６６により孔版原紙Ｎが上方に膨らむのを抑制するので、孔版原紙Ｎは排版容器４３から上方にはみ出すことなく、かつ、ハウジング４１内に孔版原紙Ｎが残留することなく、排版容器４３と共に取り出される。
【００５２】
引き出し後は、排版容器４３を下向きにすることにより、排版容器４３から孔版原紙Ｎを放出するが、排版容器４３を下向きにした時、押さえ部材６６はその自重により自動的に下方に開く。したがって、孔版原紙Ｎは、何の支承もなく、排版容器４３内から排出される。また、押さえ部材６６は帯板状あるいは棒状の部材であるため、孔版原紙Ｎが押さえ部材６６に付着しにくくなるので、排版容器４３内から排出し辛くなることはない。
【００５３】
孔版原紙Ｎを廃棄後、空の排版容器４３を下向きの状態から元の状態に戻すと、押さえ部材６６は、自重により自動的に図２の状態に戻り、リブ７３で係止される。そしてこの状態で再びハウジング４１内に差し込む。
【００５４】
[考案のその他の実施の形態]
（１）前記実施の形態では、押さえ部材６６に、下向きの四角状の複数の突起６６ａを形成しているが、この突起６６ａの形状は、三角形状あるいは半円形状等、各種形状を採用することができる。なお、突起６６ａを有しない形状とすることもできる。
【００５５】
（２）前記実施の形態では、帯板状の押さえ部材６６と、これと一体形成された一対のアーム６７を備えているが、押さえ部材６６としては、断面円形あるいは断面角形のロッドを使用し、一対のアーム６７に固定する構造とすることもできる。
【００５６】
（３）前記実施の形態では５本の掻き出し爪６４を設けているが、２本、３本、４本あるいは６本以上の掻き出し爪６４を設けることも可能である。ただし、孔版原紙を、確実に掻きだすためには、三個以上設けることが好ましい。
【００５７】
（４）押さえ部材６６の前後方向の位置は、前記実施の形態では、前端部の掻き出し爪の後上方近傍位置であったが、排版容器４３の前後方向幅の中央位置あるいはそれより後方位置でも可能である。しかし、前記実施の形態のように、掻き出し爪６４の直後に配置する構成が、孔版原紙Ｎの上方へのはみ出しを防止するためには最適である。
【００５８】
（５）前記実施の形態では、押さえ部材６６を金属製としたが、排版容器４３内に貯まっている孔版原紙が上方に膨らむことを押さえ部材６６の自重により抑制できれば良く、好ましくは、押さえ部材６６が５０ｇ〜３００ｇの重量を有していれば良く、金属以外の材質、たとえば樹脂製でも良い。
【符号の説明】
【００５９】
１  印刷機本体
７  排版装置
１１印刷用版胴
４１  排版用のハウジング
４２  引き込みローラ
４３  排版容器
６４  掻き出し爪
６６  押さえ部材
６６ａ  突起
６７  アーム
６８  揺動軸（ボルト）
Ｎ  孔版原紙
【図１】
0003157994.tif 000003
【図２】
0003157994.tif 000004
【図３】
0003157994.tif 000005
【図４】
0003157994.tif 000006
【手続補正書】
【提出日】平成22年1月4日(2010.1.4)
【手続補正１】
【補正対象書類名】実用新案登録請求の範囲
【補正対象項目名】請求項６
【補正方法】変更
【補正の内容】
【請求項６】
前記押さえ部材は、排版容器の前記引き込みローラ側寄りの位置に配置されている、請求項１乃至５のいずれか一つに記載の孔版印刷機の排版装置。